(57)【要約】【課題】インターネットを介して収集した事件・事故・災害などに関する投稿文章群について、その内容を示す短文を作成可能なデータ処理装置、データ処理方法、データ処理システム及びプログラムを提供する。【解決手段】データ処理装置１に、インターネットを介して収集した任意の事象に関する投稿文章群の各投稿文を解析し、投稿文に含まれる単語を出現頻度で順位付けする文章解析部２と、文章解析部２で得られた単語の順位データに基づいて投稿文章群に関する短文を作成する文章作成部３とを設ける。【選択図】図１
2018147411.tif 000002
【特許請求の範囲】
【請求項１】
インターネットを介して収集した任意の事象に関する投稿文章群の各投稿文を解析し、前記投稿文に含まれる単語を出現頻度で順位付けする文章解析部と、
前記単語の順位データに基づいて前記投稿文章群に関する短文を作成する短文作成部と、
を有するデータ処理装置。
【請求項２】
前記文章解析部は、
前記投稿文毎に品詞分解する品詞分解部と、
品詞分解された単語から名詞を抽出する名詞抽出部と、
抽出された名詞を出現頻度で順位付けする名詞カウント部と
を備え、
前記短文作成部は前記名詞の順位データに基づいて前記短文を作成する請求項１に記載のデータ処理装置。
【請求項３】
前記短文作成部は、
前記単語の順位データに基づき、前記投稿文章群の各投稿文に含まれる名詞の中から特定の内容を表す名詞を選定する単語選定部と、
前記単語選定部で選定された名詞を用いて短文を作成する短文生成部と
を備え、
前記単語選定部は順位が上位の名詞を優先して選定する請求項１又は２に記載のデータ処理装置。
【請求項４】
前記特定の内容を表す名詞は、地域を表す名詞及び事象を表す名詞である請求項３に記載のデータ処理装置。
【請求項５】
更に、前記単語の順位データを記憶する順位データ記憶部を有する請求項１〜４のいずれか１項に記載のデータ処理装置。
【請求項６】
前記短文はタイトル又は見出しである請求項１〜５のいずれか１項に記載のデータ処理装置。
【請求項７】
１又は複数のデータ処理装置を用いて短文を自動作成する方法であって、
前記情報処理装置により、
インターネットを介して収集した任意の事象に関する投稿文章群の各投稿文を解析し、前記投稿文に含まれる単語を出現頻度で順位付けする文章解析工程と、
前記単語の順位データに基づいて前記投稿文章群に関する短文を作成する短文作成工程と、
を行うデータ処理方法。
【請求項８】
前記文章解析工程は、
前記投稿文毎に品詞分解する工程と、
品詞分解された単語から名詞を抽出する工程と、
抽出された名詞を出現頻度で順位付けする工程と
を有し、
前記短文作成工程は前記名詞の順位データに基づいて前記短文を作成する請求項７に記載のデータ処理方法。
【請求項９】
前記短文作成工程は、
前記単語の順位データに基づき、前記投稿文章群の各投稿文に含まれる名詞の中から特定の内容を表す名詞を選定する工程と、
選定された名詞を用いて短文を作成する工程と
を有し、
前記名詞を選定する工程では、順位が上位の名詞を優先して選定する請求項７又は８に記載のデータ処理方法。
【請求項１０】
インターネットを介して収集した任意の事象に関する投稿文章群の各投稿文を解析し、前記投稿文に含まれる単語を出現頻度で順位付けする文章解析装置と、
前記単語の順位データに基づいて前記投稿文章群に関する短文を作成する短文作成装置と、
を有するデータ処理システム。
【請求項１１】
インターネットを介して収集した複数の投稿文を分類し、事象毎に投稿文章群を作成する投稿文分類装置を備え、
前記文章解析装置は、前記投稿文分類装置で作成された投稿文章群を解析する請求項１０に記載のデータ処理システム。
【請求項１２】
前記短文作成装置で作成された短文のデータを、前記投稿文章群のデータに付加し、外部配信する配信装置を有する請求項１０又は１１に記載のデータ処理システム。
【請求項１３】
コンピュータに、
インターネットを介して収集した任意の事象に関する投稿文章群の各投稿文を解析し、前記投稿文に含まれる単語を出現頻度で順位付けする文章解析機能と、
前記単語の順位データに基づいて前記投稿文章群に関する短文を自動作成する短文作成機能と
を実行させるプログラム。
【発明の詳細な説明】
【技術分野】
【０００１】
本発明は、インターネット上から収集した投稿文データを処理するデータ処理装置、データ処理方法、データ処理システム及びプログラムに関する。より詳しくは、内容毎に分類された投稿文章群にタイトルや見出しなどを付与する技術に関する。
【背景技術】
【０００２】
インターネット上には、日々、数多くの文章が投稿されている。特に、ソーシャル・ネットワーキング・サービス（social networking service：ＳＮＳ）は、手軽にコメントや写真を投稿できるため、事件、事故及び災害などに関する情報がリアルタイムで投稿されることがあり、投稿写真や投稿動画などがニュースに利用され始めている。
【０００３】
一方、インターネット上に投稿された多種多様な文章の中から、ニュースソースとなり得る情報を抽出するには、投稿文を１つずつ読んで内容を確認する必要があり、手間と時間がかかる。また、事件、事故及び災害などのニュースには速報性が求められるが、インターネット上の投稿からこれらの事象の発生を知るには、投稿文を常にモニターしている必要があり、効率が悪い。
【０００４】
そこで、近時、インターネット上から特定の投稿文や記事を収集し、利用者に提供するサービスが注目されている。しかしながら、このようなサービスを利用する場合でも、個々の文章について「目的とする事象に関するものか」や「信頼できるものか」を確認する作業は必要となる。このような他者が作成した文章の内容を短時間で効率的に判断する方法としては、それらに付されているタイトルや見出しを利用する方法があり、従来、投稿記事や新聞記事に自動でタイトルを付与する技術が提案されている（特許文献１，２参照）。
【０００５】
例えば、特許文献１に記載の方法では、入力記事と同一カテゴリーの過去の記事を用いて、タイトル用の特徴語としての固有表現を抽出し、入力記事のタイトルを作成している。また、特許文献２に記載の方法では、新聞記事中からタイトル文作成のための候補文を抽出し、その候補文からデータベース用のタイトル文に必要な主語や述語を抽出し、タイトル文を作成している。
【先行技術文献】
【特許文献】
【０００６】
【特許文献１】特開２０１０−１９１８５１号公報
【特許文献２】特開平９−４４４９７号公報
【発明の概要】
【発明が解決しようとする課題】
【０００７】
しかしながら、前述した従来のタイトル作成方法は、いずれも１つの記事に対してその内容を表すタイトルを付与する技術であり、投稿者が異なる複数の投稿文からなる投稿文章群にタイトルや見出しを付与したり、その内容を示す要約や記事などの短文を作成したりするものではない。このため、特許文献１，２に記載の技術を適用しても、インターネットを介して収集した任意の事象に関する投稿文章群について、その内容を示す短文を作成することはできない。
【０００８】
そこで、本発明は、インターネットを介して収集した事件・事故・災害などに関する投稿文章群について、その内容を示す短文を作成可能なデータ処理装置、データ処理方法、データ処理システム及びプログラムを提供することを目的とする。
【課題を解決するための手段】
【０００９】
本発明に係るデータ処理装置は、インターネットを介して収集した任意の事象に関する投稿文章群の各投稿文を解析し、前記投稿文に含まれる単語を出現頻度で順位付けする文章解析部と、前記単語の順位データに基づいて前記投稿文章群に関する短文を作成する文章作成部とを有する。
前記文章解析部には、例えば、前記投稿文毎に品詞分解する品詞分解部と、品詞分解された単語から名詞を抽出する名詞抽出部と、抽出された名詞を出現頻度で順位付けする名詞カウント部とを設けることができ、その場合、前記短文作成部は前記名詞の順位データに基づいて前記短文を作成すればよい。
前記短文作成部は、例えば、前記単語の順位データに基づき、前記投稿文章群の各投稿文に含まれる名詞の中から特定の内容を表す名詞を選定する単語選定部と、前記単語選定部で選定された名詞を用いて短文を作成する短文生成部とを備え、前記単語選定部では順位が上位の名詞を優先して選定する構成とすることもできる。
その場合、前記特定の内容を表す名詞は、地域を表す名詞及び／又は事象を表す名詞とすることができる。
一方、本発明のデータ処理装置は、更に、前記単語の順位データを記憶する順位データ記憶部を有していてもよい。
前記短文は、例えばタイトルや見出しである。
【００１０】
本発明に係るデータ処理方法は、１又は複数のデータ処理装置を用いて短文を自動作成する方法であって、前記情報処理装置により、インターネットを介して収集した任意の事象に関する投稿文章群の各投稿文を解析し、前記投稿文に含まれる単語を出現頻度で順位付けする文章解析工程と、前記単語の順位データに基づいて前記投稿文章群に関する短文を作成する短文作成工程とを行う。
本発明のデータ処理方法では、前記文章解析工程で、前記投稿文毎に品詞分解する工程と、品詞分解された単語から名詞を抽出する工程と、抽出された名詞を出現頻度で順位付けする工程とを実施し、前記短文作成工程で前記名詞の順位データに基づいて前記短文を作成してもよい。
また、前記短文作成工程では、例えば、前記単語の順位データに基づき、前記投稿文章群の各投稿文に含まれる名詞の中から特定の内容を表す名詞を選定する工程と、選定された名詞を用いて短文を作成する工程を行うことができ、その場合、前記名詞を選定する工程において順位が上位の名詞を優先して選定すればよい。
【００１１】
本発明に係るデータ処理システムは、インターネットを介して収集した任意の事象に関する投稿文章群の各投稿文を解析し、前記投稿文に含まれる単語を出現頻度で順位付けする文章解析装置と、前記単語の順位データに基づいて前記投稿文章群に関する短文を作成する短文作成装置とを有する。
本発明のデータ処理システムは、更に、インターネットを介して収集した複数の投稿文を分類し、事象毎に投稿文章群を作成する投稿文分類装置を備えていてもよく、その場合、前記文章解析装置は、前記投稿文分類装置で作成された投稿文章群を解析する。
また、本発明のデータ処理システムは、前記短文作成装置で作成された短文のデータを、前記投稿文章群のデータに付加し、外部配信する配信装置を有していてもよい。
【００１２】
本発明に係るプログラムは、コンピュータに、インターネットを介して収集した任意の事象に関する投稿文章群の各投稿文を解析し、前記投稿文に含まれる単語を出現頻度で順位付けする文章解析機能と、前記単語の順位データに基づいて前記投稿文章群に関する短文を自動作成する短文作成機能とを実行させるものである。
【００１３】
本発明において、「投稿文章群」とは、インターネットを介して収集された任意の事象に関する２以上の投稿文で構成されるテキストデータの集合体を指す。
また、本発明における「事象」には、事件、事故、災害など報道などで取り上げられる様々な出来事が含まれ、その発生場所は国内に限られず、海外も含む。
【発明の効果】
【００１４】
本発明によれば、インターネットを介して収集した投稿文章群について、特定の単語の出現頻度を解析し、上位の単語を抽出して短文を生成しているため、その投稿文章群に関係する事象の内容を示す短文を自動作成することが可能となる。
【図面の簡単な説明】
【００１５】
【図１】本発明の第１の実施形態のデータ処理装置の構成例を示す概念図である。
【図２】図１に示すデータ処理装置１を用いてデータ処理を行う方法を示すフローチャートである。
【図３】順位データの例を示す図である。
【図４】本発明の第２の実施形態のデータ処理システムの構成例を示す概念図である。
【発明を実施するための形態】
【００１６】
以下、本発明を実施するための形態について、添付の図面を参照して、詳細に説明する。なお、本発明は、以下に説明する実施形態に限定されるものではない。
【００１７】
（第１の実施形態）
先ず、本発明の第１の実施形態に係るデータ処理装置について説明する。図１は本実施形態のデータ処理装置の構成例を示す概念図である。図１に示すように、本実施形態のデータ処理装置１は、文章解析部２と短文作成部３とを有し、タイトルや見出しなどの投稿文章群に関する短文を自動作成するものである。このデータ処理装置１には、必要に応じて順位データ記憶部４や事象単語データベース５などを設けることもできる。
【００１８】
［文章解析部２］
文章解析部２は、入力された投稿文章群の各投稿文を解析し、その中に含まれる単語を出現頻度で順位付けするものである。ここで、文章解析部２で解析される「投稿文章群」は、インターネットを介して収集された任意の事象に関する２以上の投稿文で構成されるテキストデータの集合体である。また、「投稿文」は、インターネットを介して収集可能なものであればよく、例えばＳＮＳ、ブログ、電子掲示板（Bulletin Board System：ＢＢＳ）などに投稿された情報などが挙げられる。なお、解析する投稿文の長さは、特に限定されるものではなく、長くても、短くてもよい。
【００１９】
文章解析部２の構成は、特に限定されるものではないが、例えば、投稿文毎に品詞分解を行う品詞分解部２１と、品詞分解された単語から名詞を抽出する名詞抽出部２２と、抽出された名詞を出現頻度で順位付けする名詞カウント部２３とを備える構成とすることができる。なお、文章解析部２は、名詞以外の品詞も抽出して順位付けする構成、或いは、品詞分解された全ての単語を順位付けし、順位付けられた単語の中から名詞のみを抽出する構成とすることもできる。
【００２０】
文章解析部２における各投稿文の解析方法、即ち、品詞分解部２１、名詞抽出部２２及び名詞カウント部２３などでの処理方法は、特に限定されるものではないが、例えばテキストマイニング、ワードカウント及び全文検索技術などの手法を適用することができる。
【００２１】
［短文作成部３］
短文作成部３は、文章解析部２で作成された投稿文章群に含まれる単語（又は名詞）の順位データに基づいて、投稿文章群に関する短文を作成する。短文作成部３で作成される短文としては、タイトルや見出しなどのように事象を特定するものの他に、事象の具体的内容を簡単にまとめた要約や記事などが挙げられる。
【００２２】
短文作成部３において、短文を自動作成する方法は、特に限定されるものではないが、例えば、高順位の単語（又は名詞）から地域や事象などの特定の内容を表す名詞を選定し、選定された名詞を用いて文章を作成する方法を用いることができる。その場合、短文作成部３には、単語（又は名詞）の順位データに基づき投稿文章群の各投稿文に含まれる名詞の中から特定の内容を表す名詞を選定する単語選定部３１と、単語選定部３１で選定された名詞を用いて短文を作成する短文生成部３２とを設ければよい。
【００２３】
［順位データ記憶部４］
順位データ記憶４は、文章解析部２で生成された単語（又は名詞）の順位データを記憶するものであり、必要に応じて設けられる。本実施形態のデータ処理装置１では、文章解析部２での解析処理の後、引き続き短文作成部３で短文作成を行ってもよいが、文章解析部２で解析した結果を順位データ記憶部４に記憶しておき、短文作成部３は順位データ記憶部４に記憶されたデータを利用して、短文を作成することもできる。
【００２４】
［事象単語データベース５］
事象単語データベース５には、事象を特定可能な名詞が記録されているものであり、必要に応じて設けられる。ここで、事象を特定可能な名詞としては、例えば、事件、事故、災害などの事象を表す際に多用される名詞や、その事象特有の名詞、地域を表す名詞などが挙げられる。この事象単語データベース５に記録されている名詞は、短文作成部３の単語選定部３１などにおいて、地域や事象などの特定の内容を表す名詞を選定する際に利用される。
【００２５】
［動作］
次に、本実施形態のデータ処理装置１の動作、即ち、データ処理装置１を用いて投稿文章群に関する短文を自動作成する方法について説明する。本実施形態のデータ処理方法は、１又は複数の情報処理装置１により、文章解析工程と、短文作成工程とを行い、投稿文章群に関する短文を自動作成する。図２は本実施形態のデータ処理方法を示すフローチャートであり、図３は順位データの例である。
【００２６】
［文章解析工程］
文章解析工程は、主に情報処理装置１の記事解析部２で行われ、インターネットを介して収集した任意の事象に関する投稿文章群の各投稿文を解析し、投稿文に含まれる単語を出現頻度で順位付けする。単語の抽出及び順位付けの方法は、特に限定されるものではないが、例えば、図２に示すように、投稿文毎に品詞分解した後（ステップＳ１）、品詞分解された単語から名詞を抽出し（ステップＳ２）、抽出された名詞を出現頻度で順位付けする（ステップＳ３）ことにより、実施することができる。
【００２７】
ステップＳ１の品詞分解について、投稿文章群の各投稿文のテキストデータは、既存の日本語形態素解析システムなどを用いることで、単語毎に分割することができる。また、ステップＳ２の名詞抽出については、機械学習や日本語形態素解析システムを用いることで、品詞分解された単語の中から名詞のみを抽出することができる。そして、ステップＳ３の順位付けは、図３に示すように、抽出された名詞などについてその語が使われた数（出現頻度）を数え、その数が多いものから順位を付ければよい。
【００２８】
なお、文章解析工程では、名詞の抽出と併せて、又は、名詞の抽出の後で副詞などの名詞以外の品詞を抽出し、順位付けしてもよい。また、文章解析工程では、品詞分解された全ての単語を順位付けし、順位付けられた単語の中から名詞のみを抽出することもできる。
【００２９】
［短文作成工程］
短文作成工程は、主に情報処理装置１の短文作成部３で行われ、名詞の順位データに基づいて投稿文章群に関する短文を作成する。その方法は特に限定されるものではないが、例えば、図２に示すように、投稿文章群の各投稿文に含まれる名詞の中から、特定の内容を表す名詞を選定し（ステップＳ４）、必要に応じて場所や事象を特定する副詞などの他の品詞も選定し、選定された名詞などを用いて文章を作成する（ステップＳ５）ことにより実施することができる。
【００３０】
具体的には、ステップＳ４の名詞選定工程では、例えば「地域」や「事象」などのように投稿文章群の各投稿文に共通する事象を特定できる名詞を、高順位のものを優先して選定する。名詞の選定は、例えば、予め事象単語データベース５に蓄積しておいた「事象を特定できる名詞」のデータと、名詞の順位データとを比較することで行うことができる。
【００３１】
その結果、例えば、図３に示す順位データの場合、「地域」として”福岡”が選定され、「事象」として”事故”が選定される。このとき、「事象」を表す名詞の第一候補としては、最も順位の高い”事故”が選定されるが、第二候補として次に順位の高い”地震”を選定することもできる。
【００３２】
また、前述した名詞の選定と併せて、又は、名詞の選定の後に、事象を特定できる他の品詞を選定してもよい。具体的には、場所や事象を特定する際に重要な副詞（例えば「で」など）を、名詞と同様の方法で選定する。これにより、より自然な短文を作成することが可能となる。
【００３３】
そして、ステップＳ５の短文生成工程において、名詞選定工程で選定された名詞やその他の品詞を用いて、投稿文章群に関する短文を作成する。例えば、図３に示す順位データの場合は、『福岡県で事故発生の可能性あり』、『福岡県で地震発生の可能性あり』若しくは『福岡県で事故又は地震発生の可能性あり』という短文が作成される。このように、本実施形態のデータ処理装置１では、最も順位の高い名詞だけでなく、高順位にある複数の名詞を選定し、選定された複数の名詞を組み合わせて１つの短文を作成したり、名詞毎に複数の短文を作成したりすることもできる。
【００３４】
なお、前述した文章解析工程と短文作成工程は、連続して行ってもよいが、それぞれ独立して実施することもできる。例えば、文章解析工程は、全ての投稿文又は投稿文章群に対して実施し、短文作成工程は必要なものだけ選択的に実施することも可能である。また、前述した短文作成工程では、品詞分解された単語の中から特定の名詞を選択的に抽出しているが、本発明はこれに限定されるものではなく、投稿文章群表す単語であれば名詞以外の単語でもよく、名詞以外の単語を選定して短文を作成してもよい。
【００３５】
また、前述した各工程により作成された投稿文章群に関する短文（テキストデータ）は、例えば、該当する投稿文章群データに付与され（ステップＳ６）、ユーザーに向けて配信される。又は、投稿文章群データとは別に、作成された短文のみを、ウェブサイトやＳＮＳに掲載して、特定のユーザー向けの情報として提供することもできる。
【００３６】
［プログラム］
前述した各工程は、データ処理装置の各機能を実現するためのコンピュータプログラムを作成し、１又は２以上のコンピュータに実装することにより実施することができる。即ち、本実施形態のデータ処理方法は、インターネットを介して収集した任意の事象に関する投稿文章群の各投稿文を解析し、投稿文に含まれる単語を出現頻度で順位付けする文章解析機能と、単語の順位データに基づいて投稿文章群に関する短文を自動作成する短文作成部とをコンピュータに実行させるプログラムにより実行することができる。
【００３７】
このコンピュータプログラムでは、文章解析機能を、投稿文毎に品詞分解する機能と、品詞分解された単語の中から名詞を抽出する機能と、抽出された名詞を出現頻度で順位付けする機能により実現してもよい。また、短文作成機能を、単語（又は名詞）の順位データに基づき、投稿文章群の各投稿文に含まれる名詞の中から特定の内容を表す名詞を選定する機能と、単語選定部で選定された名詞を用いて短文を作成する文章生成機能とで実現し、名詞を選定する機能では、順位が上位の名詞を優先して選定するようにしてもよい。
【００３８】
なお、前述した各機能は、一のプログラムに搭載されている必要はなく、機能毎にプログラムを作成し、それらを連動させることにより実行してもよい。その場合、各プログラムを２台以上のコンピュータ又は装置に分割して実装し、動作させることもできる。
【００３９】
投稿文章群に含まれる投稿文は、特定の事象に関する情報以外にも様々な情報を含んでいるため、投稿文毎にテキストデータを解析し、タイトルや見出しなどの事象を特定する短文を作成すると、事象とは関係ない情報により特定精度が低下する。これに対して、本実施形態のデータ処理装置では、投稿文章群を構成する各投稿文に含まれる単語を出現頻度で順位付けし、高順位の単語を用いて文章を作成しているため、各投稿文が話題としている事象の内容や発生地域などを、精度よく特定することができる。
【００４０】
その結果、本実施形態のデータ処理装置やデータやデータ処理方法を用いることで、インターネットを介して収集した事件・事故・災害などに関する投稿文章群について、その内容を適確に表した見出し、タイトル、要約及び紹介文などの短文を、自動作成することが可能となる。また、本実施形態のデータ処理装置により、ＳＮＳ上にある投稿してから時間が経過していない最新の投稿文章群を解析すると、各地で発生している事象をいち早く発見し、その内容を必要な人に、迅速にかつわかりやすい状態で提供することができる。
【００４１】
なお、本実施形態のデータ処理装置は、インターネットを介して収集された任意の事象に関する２以上の投稿文で構成される「投稿文章群」の処理に特に有効であるが、当然ながら１つの投稿文への適用も可能である。その場合、１つの文章のみ解析を行い、単語を順位付けし、その順位付けデータに基づいて、その投稿文に関する短文を作成する。
【００４２】
（第２の実施形態）
次に、本発明の第２の実施形態に係るデータ処理システムについて説明する。図４は本実施形態のデータ処理システムの構成を示す概念図である。前述した第１の実施形態では、投稿文章群の各投稿文の解析と短文作成を同じ装置で行っているが、本発明はこれに限定するものではなく、これらの工程をそれぞれ別の装置で実施してもよい。即ち、本実施形態のデータ処理システム１０は、図４に示すように、文章解析装置２０と、短文作成装置３０とを有する。
【００４３】
［文章解析装置２０］
文章解析装置２０は、インターネット５を介して収集した任意の事象に関する投稿文章群の各投稿文６ａ，６ｂを解析し、投稿文６ａ，６ｂに含まれる単語を出現頻度で順位付けするものである。なお、文章解析装置２０における上記以外の構成及び動作は、前述した第１の実施形態の文章解析部２と同様である。
【００４４】
［短文作成装置３０］
短文作成装置３０は、文章解析装置２０で作成した単語の順位データに基づいて投稿短文作成群に関する短文を作成するものである。なお、文章解析装置３０における上記以外の構成及び動作は、前述した第１の実施形態の短文作成部３と同様である。
【００４５】
［投稿文分類装置７］
本実施形態のデータ処理システム１０には、インターネットを介して収集した複数の投稿文を分類し、同一事象毎に投稿文章群を作成する投稿文分類装置７が設けられていてもよい。その場合、文章解析装置２０には、この投稿文分類装置７で作成された投稿文章群が入力され、解析処理が行われる。
【００４６】
本実施形態のデータ処理システム１０では、投稿文分類装置７で分類した投稿文章群のうち、必要なものだけ文章解析装置２０に出力し、解析処理を行ってもよい。例えば、投稿文分類装置７で事象の発生をモニターし、変化が現れたタイミングでその前後のデータを収集し、分類して文章解析装置２０に送ることも可能である。これにより、効率良くデータ解析を行うことができる。
【００４７】
また、本実施形態のデータ処理システム１０には、短文作成装置３０で作成された文章のデータを、投稿文章群のデータに付加し、外部配信する配信装置が設けられていてもよい。なお、図４に示すデータ処理システム１０では、投稿文分類装置７が配信装置も兼ねており、短文作成装置３０で作成された文章は、投稿文分類装置７で投稿文章群のデータに付加され、インターネット５を介して外部に配信される。
【００４８】
本実施形態のデータ処理システムは、同一事象に関する投稿文を集め、そのテキストデータに含まれる単語を出現頻度で順位付けし、高順位の単語を用いて文章を作成しているため、その事象を適確に表す短文を自動作成することができる。なお、本実施形態における上記以外の構成及び効果は、前述した第１の実施形態と同様である。
【符号の説明】
【００４９】
１  データ処理装置
２  文章解析部
３  短文作成部
４  順位データ記憶部
５  事象単語データベース
６ａ、６ｂ  投稿文
７  投稿文分類装置
８  インターネット
１０  データ処理システム
２０  文章解析装置
２１  品詞分解部
２２  名詞抽出部
２３  名詞カウント部
３０  短文作成装置
３１  単語選定部
３２  短文生成部
【図１】
2018147411.tif 000003
【図２】
2018147411.tif 000004
【図３】
2018147411.tif 000005
【図４】
2018147411.tif 000006